(57)【要約】【課題】撮影者に光を用いて情報を報知する際にその視認性の向上を図る。【解決手段】外輪郭を画定すると共に筒状部１１ａを有する筐体１０、筒状部の内側に配置されると共に光軸を画定するレンズ鏡筒ＬＵ、筐体の内部に配置されるユニットベースＵＢ、ユニットベースに固定される実装基板ＣＢ、発光体２０、発光体から発せられる光を筐体の外部に導くべく筐体の内部に配置される導光体３０とを備えた撮像装置において、発光体２０は実装基板ＣＢに実装され、筐体の筒状部１１ａは光軸に略直角な方向に開口する開口部１１ｇ〜１１ｊを有し、導光体３０は発光体から発せられる光を入射させる入射面３１ａ〜３４ａ、開口部を通して光軸に略直角な方向に光を射出するべく開口部に臨む射出面３１ｂ〜３４ｂを有する。これによれば、射出面から射出される光の視認性を向上させることができる。【選択図】図５
2014055997.tif 000002
【特許請求の範囲】
【請求項１】
外輪郭を画定すると共に筒状部を有する筐体と、前記筒状部の内側に配置されると共に光軸を画定するレンズ鏡筒と、前記筐体の内部に配置されるユニットベースと、前記ユニットベースに固定される実装基板と、発光体と、前記発光体から発せられる光を前記筐体の外部に導くべく前記筐体の内部に配置される導光体とを備えた撮像装置であって、
前記発光体は、前記実装基板に実装され、
前記筐体の筒状部は、光軸に略直角な方向に開口する開口部を有し、
前記導光体は、前記発光体から発せられる光を入射させる入射面と、前記開口部を通して光軸に略直角な方向に光を射出するべく前記開口部に臨む射出面を有する、
ことを特徴とする撮像装置。
【請求項２】
前記筐体は、前記筒状部を有する前側カバーと、前記前側カバーに着脱自在に結合される後側カバーを含み、
前記前側カバーは、前記筒状部の外周に沿って配列され光軸に略直角な方向に開口する開口部を有し、
前記導光体は、前記開口部に射出面が対応して臨むように前記前側カバーの内側に配置された導光部材を含み、
前記発光体は、前記導光部材に対応して前記実装基板に実装された発光素子を含む、
ことを特徴とする請求項１に記載の撮像装置。
【請求項３】
前記導光部材を保持すると共に前記前側カバーの内側に固定される組付けホルダを含み、
前記組付けホルダは、前記導光部材に隣接して配置されて光を遮る遮光壁を有する、
ことを特徴とする請求項２に記載の撮像装置。
【請求項４】
前記導光部材は、その射出面に向けて光を反射させる反射面を有し、
前記反射面は、凹面又は凸面に形成されている、
ことを特徴とする請求項２又は３に記載の撮像装置。
【請求項５】
撮影時に被写体の光量を測定する測光ユニットと、
前記測光ユニットの測光情報に基づいて前記発光素子を発光させる制御手段と、
前記筐体の筒状部に隣接して回動自在に配置されると共にその外周面に一つの絞り位置指標を有し、前記開口部に対応する角度位置に前記絞り位置指標を一致させることにより絞り値を設定し得る絞り設定操作環と、を含む、
ことを特徴とする請求項２ないし４いずれか一つに記載の撮像装置。
【発明の詳細な説明】
【技術分野】
【０００１】
本発明は、撮影者に知らせる報知媒体として外部に射出される光を用いた撮像装置に関し、特に、撮影時に最適な絞り値に調整するべく光により絞りの設定位置を報知する撮像装置に関する。
【背景技術】
【０００２】
従来の撮像装置としては、筐体としてのカメラ本体（前カバー、後カバー等）、撮影の際にカメラ本体から光軸方向に繰り出すレンズ鏡筒、カメラ本体に設けられたフラッシュ，フラッシュ受光窓，及び被写界輝度を測光する測光部、レンズ鏡筒内に設けられて複数（４つ）の絞り開口を有すると共に所定軸回りに揺動する絞り部材、カメラ本体の上面に回動自在に設けられその上面に指標を有する絞り設定操作子、絞り部材と絞り設定操作子とを機械的に連結すると共に絞り設定操作に応じて絞り部材を所定の絞り位置に移動させる連結部材、絞り設定操作子の外周に沿って配列されて測光部の測光情報に応じて選択的に発光させられる複数の発光素子（ＬＥＤ）等を備え、レンズ鏡筒を沈胴位置から繰り出した状態において、絞り設定操作子を回転させて、その指標を複数の発光素子のうち発光している発光素子に位置合わせすることにより、最適な絞り値を設定するようにした、カメラが知られている（例えば、特許文献１を参照）。
しかしながら、この撮像装置（カメラ）においては、絞り設定操作子の外周に沿って複数の発光素子が配列されているため、装置内に配置されて電子部品等を実装する実装基板から絞り設定操作子の近傍までフレキシブル配線板（ＦＰＣ）等を配設する必要があり、構造の複雑化、フレキシブル配線板の延長によるコストの増加を招くものであった。
【０００３】
また、他の撮像装置としては、筐体としてのカメラ本体、カメラ本体から光軸方向に繰り出すレンズ鏡筒、カメラ本体内に配置される実装基板、実装基板に実装された発光素子（ＬＥＤ）、発光素子よりも光軸方向の前方においてカメラ本体に開けられた開口部、発光素子と開口部の間に直線的に配置されて発光素子から発せられた光を、開口部を通して外部に導く導光部材等を備えた、デジタルカメラが知られている（例えば、特許文献２を参照）。
しかしながら、この撮像装置（デジタルカメラ）においては、発光素子から発せられて開口部を通り外部に射出される光は、被写体である人物に対して、デジタルカメラが撮影可能な状態もしくは撮影中であることを報知するものであり、撮影者にとっては、デジタルカメラを手元に構えた場合に、カメラ本体の前面から射出される光を確認することはできず、撮影姿勢を止めて前面を覗き込む必要がある。それ故に、撮影者自身に光情報として報知する場合には視認性が悪く好ましくなかった。
【先行技術文献】
【特許文献】
【０００４】
【特許文献１】特開２００２−３５０９５４号公報
【特許文献２】特開２００８−１２９４２９号公報
【発明の概要】
【発明が解決しようとする課題】
【０００５】
本発明は、上記の事情に鑑みて成されたものであり、その目的とするところは、構造の簡素化、部品点数の削減、低コスト化、小型化、組み付け作業の容易化等を図りつつ、撮影者に対して光を用いて種々の情報を報知する際にその視認性を向上させることができ、特に、撮影時に最適な絞り値に調整するべく光により絞りの設定位置を報知する際の光の指向性を高めて機能的な信頼性の向上等を図れる撮像装置を提供することにある。
【課題を解決するための手段】
【０００６】
本発明の撮像装置は、外輪郭を画定すると共に筒状部を有する筐体と、筒状部の内側に配置されると共に光軸を画定するレンズ鏡筒と、筐体の内部に配置されるユニットベースと、ユニットベースに固定される実装基板と、発光体と、発光体から発せられる光を筐体の外部に導くべく筐体の内部に配置される導光体とを備えた撮像装置であって、上記発光体は実装基板に実装され、上記筐体の筒状部は、光軸に略直角な方向に開口する開口部を有し、上記導光体は、発光体から発せられる光を入射させる入射面と、開口部を通して光軸に略直角な方向に光を射出するべく開口部に臨む射出面を有する、ことを特徴としている。
この構成によれば、発光体から発せられた（例えば、報知情報としての）光は、導光体によりその入射面から射出面まで導かれ、筐体の開口部を通して光軸に略直角な方向に射出される。このように、発光体の光は導光体を介して光軸に略直角な方向に射出されるため、撮影者は、装置を手元に構えた状態で、その光を装置の上方から容易に確認することができ、撮影者による視認性を向上させることができる。また、発光体は実装基板に直接実装されており、それ故に、フレキシブル配線板（ＦＰＣ）を配設する必要がなく、コネクタ等が不要であり、構造の簡素化、部品点数の削減、低コスト化、小型化、組み付け作業の容易化等を達成することができる。
【０００７】
上記構成において、筐体は、筒状部を有する前側カバーと、前側カバーに着脱自在に結合される後側カバーを含み、前側カバーは、筒状部の外周に沿って配列され光軸に略直角な方向に開口する開口部を有し、導光体は、開口部に射出面が対応して臨むように前側カバーの内側に配置された導光部材を含み、発光体は、導光部材に対応して実装基板に実装された発光素子を含む、構成を採用することができる。
この構成によれば、発光素子に対応して導光部材及びその射出面を露出させる開口部が設けられているため、発光素子が発する（例えば、報知情報としての）光を、導光部材を介して開口部から筐体の外部に射出することができる。
ここで、導光部材は、筐体の前側カバーの内側に配置されるため、予め前側カバーの内側に導光部材を取り付け、実装基板に発光素子を実装し、その実装基板をユニットベースに固定し、ユニットベースを収容するように前側カバーと後側カバーを結合することにより、発光素子と導光部材とを対応させて容易に組み付けることができる。
【０００８】
上記構成において、導光部材を保持すると共に前側カバーの内側に固定される組付けホルダを含み、組付けホルダは、導光部材に隣接して配置されて光を遮る遮光壁を有する、構成を採用することができる。
この構成によれば、組付けホルダを用いて導光部材を前側カバーに組み付けることができるため、導光部材の組み付け作業を容易に行うことができ、又、組み付けホルダに遮光壁を設けたことにより、導光部材における光の影響（導光部材により導かれる光が隣接する他の部材に回り込むような現象）を防止することができる。
【０００９】
上記構成において、導光部材は、その射出面に向けて光を反射させる反射面を有し、反射面は、凹面又は凸面に形成されている、構成を採用することができる。
この構成によれば、反射面により反射されて射出面から射出される光を、拡散光とすることができ、それ故に、撮影者が光を視認できる角度範囲を広く設定することができる。
【００１０】
上記構成において、撮影時に被写体の光量を測定する測光ユニットと、測光ユニットの測光情報に基づいて発光素子を発光させる制御手段と、筐体の筒状部に隣接して回動自在に配置されると共にその外周面に一つの絞り位置指標を有し、開口部に対応する角度位置に絞り位置指標を一致させることにより絞り値を設定し得る絞り設定操作環とを含む、構成を採用することができる。
この構成によれば、撮影時に測光ユニットにより被写体の光量が測定されると、その測光情報に基づく制御手段の制御信号により、発光素子が発光し、その光は導光部材を介して、開口部から射出させられる。したがって、撮影者は、その光を確認できる開口部（射出面）の位置に絞り位置指標を合わせるように絞り設定操作環を回すことで、容易に最適な絞り値を設定することができる。
【発明の効果】
【００１１】
上記構成をなす撮像装置によれば、構造の簡素化、部品点数の削減、低コスト化、小型化、組み付け作業の容易化等を達成しつつ、撮影者に対して光を用いて種々の情報を報知する際にその視認性を向上させることができ、特に、撮影時に最適な絞り値に調整するべく光により絞りの設定位置を報知する際の光の指向性を高めて機能的な信頼性の向上等を達成することができる。
【図面の簡単な説明】
【００１２】
【図１】本発明に係る撮像装置の一実施形態を示すものであり、（ａ）はレンズ鏡筒が沈胴した状態を示す外観斜視図であり、（ｂ）はレンズ鏡筒が繰り出した状態を示す外観斜視図である。
【図２】図１に示す撮像装置を分解して前方側から見た分解斜視図である。
【図３】図１に示す撮像装置を分解して後方側から見た分解斜視図である。
【図４】図１に示す撮像装置に含まれる、筐体の前側カバー、複数の導光部材、及び組付けホルダを示す分解斜視図である。
【図５】図１に示す撮像装置に含まれる実装基板、弾性密着部材、組付けホルダ、及び複数の導光部材を示す分解斜視図である。
【図６】図１に示す撮像装置に含まれる発光素子が実装された実装基板、導光部材、弾性密着部材が組み付けられた状態を示す部分断面図である。
【図７】図１に示す撮像装置に含まれる導光部材の一実施形態を示すものであり、（ａ）は上面図、（ｂ）は斜視図、（ｃ）は側面図、（ｄ）は（ｃ）中のＥ１−Ｅ１における断面図である。
【図８】図１に示す撮像装置に含まれる導光部材の他の実施形態を示すものであり、（ａ）は上面図、（ｂ）は斜視図、（ｃ）は側面図、（ｄ）は（ｃ）中のＥ２−Ｅ２における断面図である。
【図９】図１に示す撮像装置に含まれる導光部材のさらに他の実施形態を示すものであり、（ａ）は上面図、（ｂ）は斜視図、（ｃ）は側面図、（ｄ）は（ｃ）中のＥ３−Ｅ３における断面図である。
【図１０】本発明に係る撮像装置において、導光部材の射出面から筐体の開口部を通して外部に射出される光の指向状態を示すべく、装置を前方斜め上方から見た斜視図である。
【図１１】図１に示す撮像装置に含まれる筐体の前側カバー、絞り設定操作環、及び復帰バネを示す分解斜視図である。
【図１２】図１に示す撮像装置に含まれる絞り設定操作環、復帰バネ、絞り部材、歯車列、及びクリック機構を正面側から見た斜視図である。
【図１３】図１に示す撮像装置に含まれる絞り設定操作環、復帰バネ、絞り部材、歯車列、及びクリック機構を背面側から見た斜視図である。
【図１４】図１に示す撮像装置に含まれるレンズ鏡筒を示すものであり、（ａ）はその外観斜視図であり、（ｂ）はその外筒部を省いた外観斜視図であり、（ｃ）はその外筒部及び前側カバーを省いた外観斜視図である。
【図１５】図１に示す撮像装置に含まれるレンズ鏡筒の（外筒部を省略した）分解斜視図である。
【図１６】図１に示す撮像装置の筐体内に配置されるユニットベースの一部を示すものであり、レンズ鏡筒（外筒部、前側カバー等を省略）が沈胴状態にある斜視図である。
【図１７】図１に示す撮像装置の筐体内に配置されるユニットベースの一部を示すものであり、レンズ鏡筒（外筒部、前側カバー等を省略）が繰り出し途中状態にある斜視図である。
【図１８】図１に示す撮像装置の筐体内に配置されるユニットベース（一部を省略）を示す（レンズ鏡筒が沈胴した状態の）外観斜視図である。
【図１９】図１に示す撮像装置の筐体内に配置されるユニットベース（一部を省略）を示す（レンズ鏡筒が繰り出した状態の）外観斜視図である。
【図２０】図１に示す撮像装置の筐体内に配置されるユニットベース（一部を省略）及び復帰バネを示す（レンズ鏡筒が沈胴した状態の）斜視図である。
【図２１】図１に示す撮像装置に含まれるレンズ鏡筒の繰出し機構を示す分解斜視図である。
【発明を実施するための形態】
【００１３】
以下、本発明の一実施形態について、添付図面を参照しつつ説明する。
この実施形態に係る撮像装置は、インスタント写真用のフィルムユニットが装填されるインスタントカメラであり、図１ないし図５に示すように、外輪郭を画定する筐体１０、筐体１０の筒状部１１ａの内側に配置されて光軸Ｌを画定するレンズ鏡筒ＬＵ、筐体１０の内部に配置されて所定位置に固定されるユニットベースＵＢ、ユニットベースＵＢに固定される実装基板ＣＢ、実装基板ＣＢに実装された発光体２０としての複数（４つ）の発光素子２１，２２，２３，２４（図５参照）、発光素子２１，２２，２３，２４から発せられる光を筐体１０の外部に導くべく筐体１０の内部に配置される導光体３０としての複数（４つ）の導光部材３１，３２，３３，３４、複数の導光部材３１，３２，３３，３４を保持して筐体１０の前側カバー１１の内側に固定される組付けホルダ４０、実装基板ＣＢと複数の導光部材３１，３２，３３，３４の間に配置される弾性密着部材５０、実装基板ＣＢに装着される測光ユニットＯＵ及びフラッシュＦ、実装基板ＣＢに設けられる制御手段としての制御回路、ユニットベースＵＢに組み付けられるレリーズボタンＲＢ及びファインダユニットＦＵ、図１１ないし図２１に示すように、筐体１０の筒状部１１ａに隣接して回動自在に取り付けられた絞り設定操作環６０、絞り設定操作環６０を初期位置に復帰させる復帰バネ７０、ユニットベースＵＢのベース部８１及びバレル部８２により往復動自在に支持されたレンズ鏡筒ＬＵを形成する鏡筒本体９０、絞り部材１００、歯車列１１０、クリック機構１２０、補助クリック機構１３０、繰出し機構１４０等を備えている。
【００１４】
筐体１０は、図１ないし図３に示すように、筒状部１１ａを有する前側カバー１１、前側カバー１１に着脱自在に結合される後側カバー１２、後側カバー１２に着脱自在に結合されるバッテリカバー１３により構成されている。
前側カバー１１は、図１ないし図５、図１１に示すように、ファインダ窓１１ｂ、レリーズボタンＲＢ用の開口部１１ｃ、フラッシュ窓１１ｄ、測光ユニットＯＵに光を導く受光窓１１ｅ，１１ｆ、絞り位置指標用の（導光部材３１〜３４のそれぞれの射出面３１ｂ，３２ｂ，３３ｂ，３４ｂを露出させる）開口部１１ｇ，１１ｈ，１１ｉ，１１ｊ、カメラ本体側の絞り位置指標１１ｋ、絞り設定操作環６０をバヨネット構造（凹凸嵌合及び回転連結構造）により嵌め込んで光軸Ｌ回りに回動自在に支持する支持部１１ｍ、絞り設定操作環６０を絞り設定範囲内に回転規制する規制壁１１ｎ、ガイド孔１１ｐ等を備えている。
絞り位置指標用の開口部１１ｇ，１１ｈ，１１ｉ，１１ｊは、筒状部１１ａの外周に沿って配列され光軸Ｌに略直角な方向に開口するように形成されている。
絞り位置指標用の開口部１１ｇ，１１ｈ，１１ｉ，１１ｊ及び絞り位置指標１１ｋは、絞り設定操作環６０の絞り位置指標６４を回転させてそれぞれの位置に合わせることにより、後述する絞り部材１００の５つの絞り開口１０２ａ，１０２ｂ，１０２ｃ，１０２ｄ，１０２ｅがそれぞれ光軸Ｌ上に臨む位置に位置付けられて、それぞれに対応する絞り値が設定されるようになっている。
後側カバー１２は、図３に示すように、フィルムユニットを排出する排出口１２ａ、その他種々の操作ボタン等を備え、前側カバー１１と着脱自在に結合されるようになっている。
【００１５】
発光体２０は、図５に示すように、実装基盤ＣＢに実装されたＬＥＤ等の４つの発光素子２１，２２，２３，２４により構成されており、測光ユニットＯＵにより測定された被写体の光量に基づいて、制御手段により適宜発光させられるようになっている。
このように、発光体２０は実装基板ＣＢに直接実装されているため、フレキシブル配線板（ＦＰＣ）を配設する必要がなく、コネクタ等が不要であり、構造の簡素化、部品点数の削減、低コスト化、小型化、組み付け作業の容易化等を達成することができる。
【００１６】
導光体３０は、図３ないし図７に示すように、アクリル材料等用いて成形型により成形された４つの導光部材３１，３２，３３，３４により構成されている。
導光部材３１，３２，３３，３４は、図７に示すように、全て同一の材料を用いて同一形状に形成されており、それぞれ、平面状に形成された入射面３１ａ，３２ａ，３３ａ，３４ａ、段々形状の多面体に形成された射出面３１ｂ，３２ｂ，３３ｂ，３４ｂ、射出面３１ｂ，３２ｂ，３３ｂ，３４ｂに向けて光を反射させる平面状の反射面３１ｃ，３２ｃ，３３ｃ，３４ｃ等を備えている。
【００１７】
入射面３１ａ，３２ａ，３３ａ，３４ａは、それぞれ対応する発光素子２１，２２，２３，２４の発光面よりも大きい面積をなして光軸Ｌ方向において対向するように配置される。
射出面３１ｂ，３２ｂ，３３ｂ，３４ｂは、前側カバー１１に形成された絞り位置指標用の開口部１１ｇ，１１ｈ，１１ｉ，１１ｊにそれぞれ対応して臨むように配置される。
そして、入射面３１ａ，３２ａ，３３ａ，３４ａから入射した発光素子２１，２２，２３，２４の光は、導光部材３１，３２，３３，３４を通過し、途中で反射させられながら、射出面３１ｂ，３２ｂ，３３ｂ，３４ｂから射出されるようになっている。
すなわち、発光体２０（発光素子２１，２２，２３，２４）から発せられた（例えば、報知情報としての）光は、導光体３０（導光部材３１，３２，３３，３４）によりその入射面３１ａ，３２ａ，３３ａ，３４ａから射出面３１ｂ，３２ｂ，３３ｂ，３４ｂまで導かれ、図１０に示すように、筐体１０の開口部１１ｇ，１１ｈ，１１ｉ，１１ｊを通して光軸Ｌに略直角な方向に射出される。
【００１８】
このように、発光体２０の光は導光体３０を介して光軸Ｌに直角な方向に射出されるため、撮影者はその光を装置の上方から容易に確認することができ、撮影者の視認性を向上させることができる。
ここでは、射出面３１ｂ，３２ｂ，３３ｂ，３４ｂが多面体に形成されているため、撮影者が撮像装置を保持した状態で上方から見下ろすような状態において、射出面３１ｂ，３２ｂ，３３ｂ，３４ｂから射出される光を、撮影者に向かって方向付けることができ、光の指向性を容易に調節することができる。
また、４つの導光部材３１，３２，３３，３４は同一材料を用いて同一形状に形成されているため、成形型のコスト、管理コスト等を低減することができる。特に、装置内の複雑な隙間空間を抜けるようにして導光部材を配置する場合は、複雑な屈曲形状にする必要があるが、その際にも一つの成形型でよいため、それぞれに成形型を要する場合に比べて成形型のコストを低減することができる。
【００１９】
尚、導光部材としては、図８に示すように、射出面３１ｂ´，３２ｂ´，３３ｂ´，３４ｂ´が平面状に形成され、反射面３１ｃ´，３２ｃ´，３３ｃ´，３４ｃ´が凹状に形成された導光部材３１´，３２´，３３´，３４´を採用してもよく、又、図９に示すように、射出面３１ｂ´，３２ｂ´，３３ｂ´，３４ｂ´が平面状に形成され、反射面３１ｃ´´，３２ｃ´´，３３ｃ´´，３４ｃ´´が凸状に形成された導光部材３１´´，３２´´，３３´´，３４´´を採用してもよい。
これによれば、反射面により反射されて射出面から射出される光を、拡散光とすることができ、それ故に、撮影者が光を視認できる角度範囲を広く設定することができる。
【００２０】
組付けホルダ４０は、図３ないし図５に示すように、４つの導光部材３１，３２，３３，３４を保持して前側カバー１１の内側にネジ等により着脱自在に固定されるものであり、保持部４１、４つの貫通孔４２ａを有すると共にネジ等により締結されるフランジ部４２、保持部４１において立設された３つの遮光壁４３を備えている。
３つの遮光壁４３は、４つの導光部材３１，３２，３３，３４の相互間に配置されるように形成されている。
これによれば、組付けホルダ４０を用いて複数の導光部材３１，３２，３３，３４を前側カバー１１に組み付けることができるため、複数の導光部材３１，３２，３３，３４の組み付け作業を容易に行うことができ、又、組み付けホルダ４０に遮光壁４３を設けたことにより、複数の導光部材３１，３２，３３，３４の相互間における光の影響（一つの導光部材により導かれる光が隣接する他の導光部材に回り込むような現象）を防止することができる。
【００２１】
弾性密着部材５０は、図５及び図６に示すように、例えば弾性変形し得るゴム部材あるいはスポンジ等により平板状に形成されており、４つの発光素子２１，２２，２３，２４のそれぞれの発光面よりも大きくかつ４つの導光部材３１，３２，３３，３４のそれぞれの入射面３１ａ，３２ａ，３３ａ，３４ａよりも小さい開口をなす４つの貫通孔５１を備えている。
そして、弾性密着部材５０は、図６に示すように、実装基板ＣＢと４つの導光部材３１，３２，３３，３４との間に密着するように配置されるようになっている。
これによれば、それぞれの発光素子２１，２２，２３，２４から発せられた光は、それぞれの貫通孔５１を通して、対応するそれぞれの導光部材３１，３２，３３，３４の入射面３１ａ，３２ａ，３３ａ，３４ａに導かれるため、隣接する他の導光部材の入射面への光の回り込みを防止することができる。
【００２２】
上記のように、複数の発光素子２１，２２，２３，２４に対応して複数の導光部材３１，３２，３３，３４及びそれぞれの射出面３１ｂ，３２ｂ，３３ｂ，３４ｂを露出させる複数の開口部１１ｇ，１１ｈ，１１ｉ，１１ｊが設けられているため、それぞれの発光素子２１，２２，２３，２４が発する光をそれぞれに対応する導光部材３１，３２，３３，３４を介して対応する開口部１１ｇ，１１ｈ，１１ｉ，１１ｊから筐体１０の外部に射出することができる。
また、複数の導光部材３１，３２，３３，３４は、筐体１０の前側カバー１１の内側に配置されるため、予め前側カバー１１の内側に組付けホルダ４０を用いて複数の導光部材３１，３２，３３，３４を取り付け、実装基板ＣＢに複数の発光素子２１，２２，２３，２４を直接実装し、その実装基板ＣＢをユニットベースＵＢに固定し、ユニットベースＵＢを収容するように前側カバー１１と後側カバー１２を結合することにより、複数の発光素子２１，２２，２３，２４と複数の導光部材３１，３２，３３，３４とをそれぞれ対応させて容易に組み付けることができる。
【００２３】
絞り設定操作環６０は、図１１ないし図１３に示すように、円環状に形成されており、復帰バネ７０を伸縮自在に円弧状に収容する凹部６１、復帰バネ７０の一端部７１を掛止する掛止突起６２、復帰バネ７０の他端部７２を（ユニットベースＵＢのバレル部８２の方向変換部８２ｈを経由して（図２０及び図２１参照））レンズ鏡筒ＬＵの掛止部９４ｄに掛止した状態でその回動を許容する円弧状の貫通孔６３、絞り位置指標６４、規制壁１１ｎに当接し得る当接部６５、ユニットベースＵＢ（のバレル部８２）の規制壁８２ｇ（図１８及び図１９を参照）に当接し得る当接部６６、径方向の内側を向くように円弧状に形成された駆動歯列６７（図１３参照）、背面側にＶ字溝状に形成された複数（５つ）の被係合部６８ａ〜６８ｅ等を備えている。
【００２４】
そして、絞り設定操作環６０は、撮影者が指等で直接掴んで光軸Ｌ回りに回転させることにより、駆動歯列６７と噛合する歯車列１１０を介して、絞り部材１００を適宜所定の絞り位置に位置付けるようになっている。また、絞り設定操作環６０は、当接部６５と規制壁１１ｎとの関係及び当接部６６と規制壁８２ｇとの関係により、絞り部材１００の複数（５つ）の絞り開口１０２ａ，１０２ｂ，１０２ｃ，１０２ｄ，１０２ｅに対応する絞り設定範囲内に回転が規制され、一方の回転端にて所定の絞り値（頻繁に使用される絞り値）を設定する初期位置（絞り位置指標６４が開口部１１ｇに一致し、絞り開口１０２ａが光軸Ｌに臨む位置）に位置付けられるようになっている。
【００２５】
復帰バネ７０は、図１１ないし図１５、図２０に示すように、光軸Ｌに垂直な平面上において凹部６１に収容されると共にその一端部７１が絞り設定操作環６０（の掛止突起６２）に掛止され、その途中領域がユニットベースＵＢの方向変換部８２ｈにより屈曲されて光軸Ｌ方向に伸長するように方向変換されると共にその他端部７２がレンズ鏡筒ＬＵ（の鏡筒ベース９４の掛止部９４ｄ）に掛止された引張り型のコイルバネである。
そして、復帰バネ７０は、クリック機構１２０（クリックレバー１２１、付勢バネ１２２）による絞り部材１００のクリック保持を解除した際に、初期位置（絞り位置指標用の開口部１１ｇに絞り位置指標６４が一致する位置）に、絞り設定操作環６０を自動的に回転復帰させる付勢力を及ぼすものである。
ここでは、レンズ鏡筒ＬＵが図２０に示すように沈胴状態にあるときは、復帰バネ７０が引っ張られて付勢力が高められ、一方、レンズ鏡筒ＬＵが繰り出し状態にあるときは、復帰バネ７０が縮められて付勢力が弱められるようになっているため、レンズ鏡筒ＬＵが繰り出した状態において、手動による絞り操作の負荷を低減でき、絞り設定操作環６０の回転操作性を向上させることができる。
【００２６】
ユニットベースＵＢは、図２及び図３に示すように、筐体１０の内部に配置されて固定されるものであり、図１６ないし図１９に示すように、略矩形のベース部８１、ベース部８１の前側に結合される筒状のバレル部８２等により構成されており、光軸Ｌ方向に繰り出し及び沈胴自在に支持されたレンズ鏡筒ＬＵ、レンズ鏡筒ＬＵを光軸Ｌ方向（の前方）に繰り出すための繰出し機構１４０等を保持している。
バレル部８２は、図１６ないし図１９に示すように、レンズ鏡筒ＬＵ（の鏡筒ベース９４）の突出部９４ｂを光軸Ｌ方向にガイドする複数のガイド溝８２ａ、クリックレバー１２１のフォロワ部１２１ｃに対してカム作用を及ぼすカム部８２ｂ、トグルバネ１４５の他端部１４５ｂを掛止する掛止突起８２ｃ、繰出しレバー１４４を回動自在に支持する支軸８２ｄ、レバーカバー１４６をネジにより締結する３つのボス部８２ｅ、ガイドシャフト１４２の端部を嵌め込む嵌合穴８２ｆ、絞り設定操作環６０が初期位置から一方側に回転したときにその当接部６６が当接して回転端を規制する規制壁８２ｇ、復帰バネ７０の伸長方向を変換する方向変換部８２ｈ、レンズ鏡筒ＬＵの光軸Ｌ方向における沈胴位置及び繰出し位置を規定する沈胴側ストッパ及び繰り出し側ストッパ（不図示）等を備えている。
【００２７】
レンズ鏡筒ＬＵは、図１４及び図１５に示すように、鏡筒本体９０、絞り部材１００、歯車列１１０（移動歯車１１１，１１２，１１３）、クリック機構１２０（クリックレバー１２１、付勢バネ１２２）、補助クリック機構１３０（係合ピン１３１、付勢バネ１３２、取付カバー１３３）、鏡筒ベース９４に設けられたシャッタ機構ＳＭ（シャッタ部材ＳＭ１，シャッタ歯車ＳＭ２，及びシャッタバネＳＭ３）、外筒部９５の前側に設けられたバリヤ機構ＢＭ等を備えている。
鏡筒本体９０は、図１５に示すように、レンズＧ１を押えて固定するレンズ押え９１、レンズ押え９１を前側から組み込む前側カバー９２、レンズＧ２を押えて固定するレンズ押え９３、レンズ押え９３を後側から組み込む鏡筒ベース９４、鏡筒ベース９４の周りに配置される外筒部９５、鏡筒ベース９４の内部に配置される地板９６等により構成されている。
【００２８】
鏡筒ベース９４は、図１５に示すように、光を通す開口９４ａ、ユニットベースＵＢ（のバレル部８２）に形成されたガイド溝８２ａに挿入されて光軸Ｌ方向にガイドされる突出部９４ｂ、付勢バネ１２２の他端部１２２ｂを掛止する掛止部９４ｃ、復帰バネ７０の他端部７２を掛止する掛止部９４ｄ、補助クリック機構１３０を組み付ける筒状部（不図示）等を備えている。
地板９６は、図１５に示すように、光を通す開口９６ａ、絞り部材１００を光軸Ｌに垂直な面内で回動自在に支持するべく光軸Ｌに平行な回転軸９６ｂ、移動歯車１１３を回動自在に支持する支軸９６ｃ等を備えている。
【００２９】
絞り部材１００は、図１２及び図１３に示すように、円盤状に形成されて、地板９６の回転軸９６ｂ回りに回動自在に支持されかつレンズ鏡筒ＬＵと一体的に光軸Ｌ方向に移動するべくレンズ鏡筒ＬＵ内に配置されており、光軸Ｌに平行な回転軸９６ｂを通す中心孔１０１ａを画定する被動歯車１０１、回転軸９６ｂを中心に周方向に配列された複数（５つ）の絞り開口１０２ａ，１０２ｂ，１０２ｃ，１０２ｄ，１０２ｅ、５つの絞り開口１０２ａ〜１０２ｅにそれぞれ対応して外周に凹状に形成されクリックレバー１２１の係合部１２１ａが離脱可能に係合し得る５つの被係合部１０３ａ，１０３ｂ，１０３ｃ，１０３ｄ，１０３ｅ等を備えている。
【００３０】
歯車列１１０は、図１２、図１３、図１６ないし図１９に示すように、レンズ鏡筒ＬＵと一体的に光軸Ｌ方向に移動するべくレンズ鏡筒ＬＵに保持された移動歯車１１１，１１２，１１３と、筐体１０に固定されたユニットベースＵＢ（のバレル部８２）に保持されて光軸Ｌ方向に長尺な円柱状をなす長尺歯車１１４により構成されている。
そして、絞り設定操作環６０を回動させると、駆動歯列６７に噛合した長尺歯車１１４が回動し、長尺歯車１１４に噛合した移動歯車１１１及び移動歯車１１２，１１３を介して被動歯車１０１が回動し、被動歯車１０１と一体的に絞り部材１００が回転軸９６ｂ回りに回動するようになっている。ここで、長尺歯車１１４は、レンズ鏡筒ＬＵの光軸Ｌ方向における移動範囲に亘って駆動歯列６７及び移動歯車１１１と常時噛合しているため、レンズ鏡筒ＬＵの沈胴状態から繰り出し状態に至る全域において、絞り設定操作環６０の回動動作を絞り部材１００の回動動作に確実に変換して連動させることができる。
【００３１】
クリック機構１２０は、図１２、図１３、図１４（ｃ）、図１６、図１７に示すように、クリックレバー１２１及び付勢バネ１２２により構成されている。
クリックレバー１２１は、絞り部材１００の被係合部１０３ａ〜１０３ｅに離脱可能に係合し得るローラ状の係合部１２１ａ、付勢バネ１２２の一端部１２２ａを掛止する掛止部１２１ｂ、ユニットベースＵＢのカム部８２ｂに係合し得るフォロワ部１２１ｃを備えている。
付勢バネ１２２は、捩りバネであり、その一端部１２２ａがクリックレバー１２１の掛止部１２１ｂに掛止され、その他端部１２２ｂが鏡筒ベース９４の掛止部９４ｃに掛止され、クリックレバー１２１の係合部１２１ａが絞り部材１００の被係合部１０３ａ〜１０３ｅに係合する向きにクリックレバー１２１を回転付勢するように形成されている。
そして、クリックレバー１２１は、レンズ鏡筒ＬＵと一体的に光軸Ｌ方向に移動するべくレンズ鏡筒ＬＵ内に設けられて光軸Ｌに垂直な面内で揺動すると共に、レンズ鏡筒ＬＵが図１７に示す繰り出し側にあるとき絞り部材１００を所定の絞り位置にクリック保持し、図１６に示す沈胴位置に沈胴することにより、カム部８２ｂによりカム作用を受けて、付勢バネ１２２の付勢力に抗しつつ、絞り部材１００から離脱してクリック保持を解除するようになっている。
【００３２】
補助クリック機構１３０は、図１５に示すように、鏡筒ベース９４の筒状部（不図示）に設けられており、光軸Ｌ方向に可動に収容された係合ピン１３１、係合ピン１３１を光軸Ｌ方向の繰り出し側に向けて付勢する付勢バネ１３２、付勢バネ１３２を圧縮した状態にて取り付ける取付カバー１３３により構成されている。
そして、補助クリック機構１３０は、レンズ鏡筒ＬＵが繰り出し位置にあるとき、係合ピン１３１が付勢バネ１３２の付勢力を受けながら絞り設定操作環６０の複数の被係合部６８ａ〜６８ｅの一つに係合して絞り設定操作環６０をその絞り位置に（絞り位置指標６４が絞り位置指標用の開口部１１ｇ〜１１ｊ、及び絞り位置指標１１ｋの一つに一致する位置に）クリック保持し、一方、レンズ鏡筒ＬＵが沈胴位置に沈胴することにより、絞り設定操作環６０から離脱してクリック保持を解除するようになっている。
【００３３】
繰出し機構１４０は、図１６、図１７、図２１に示すように、撮影者が押し込み操作を行う押しボタン１４１、押しボタン１４１を光軸Ｌ方向に往復動自在にガイドするガイドシャフト１４２、ガイドシャフトイ１４２の周りに配置されて押しボタン１４１を押し込む前の休止位置に戻す付勢力を及ぼす戻しバネ１４３、押しボタン１４１に連動して光軸Ｌに垂直な支軸８２ｄ回りに揺動する繰出しレバー１４４、レンズ鏡筒ＬＵに対して沈胴途中から沈胴方向に付勢力を及ぼしかつ繰り出し途中から繰り出し方向に付勢力を及ぼすトグルバネ１４５、繰出しレバー１４４を脱落しないように規制するレバーカバー１４６等を備えている。
【００３４】
押しボタン１４１は、図２１に示すように、繰出しレバー１４４のＵ字状連結部１４４ｂに連結される連結部１４１ａを備えており、前側カバー１１のガイド孔１１ｐ及びガイドシャフト１４２により、光軸Ｌ方向に往復動自在にガイドされると共に抜け落ちないように組み付けられて、撮影者が指等で押込んで繰り出し操作を行うことができるように形成されている。
ガイドシャフト１４２は、図２１に示すように、その後端部がバレル部８２の嵌合穴８２ｆに嵌合されて組み付けられ、その前端側から戻しバネ１４３が組み付けられ、さらに押しボタン１４１が組み付けられるように形成されている。
戻しバネ１４３は、図２１に示すように、圧縮型のコイルバネであり、ガイドシャフト１４２の周りに組み込まれて、押しボタン１４１を光軸Ｌ方向の前方側（繰り出し側）に向けて付勢するように形成されている。
繰出しレバー１４４は、図２１に示すように、バレル部８２の支軸８２ｄに嵌め込まれて支持される円孔１４４ａ、押しボタン１４１の連結部１４１ａに連結されるＵ字状連結部１４４ｂ、レンズ鏡筒ＬＵの突出部９４ｂに対して光軸Ｌ方向の後方側から離脱可能に係合する係合部１４４ｃを備えている。
トグルバネ１４５は、図１６ないし図１９に示すように、コイル型の捩りバネであり、その一端部１４５ａがレンズ鏡筒ＬＵの突出部９４ｂに掛止され、その他端部１４５ｂがバレル部８２の掛止突起８２ｃに掛止され、図１６及び図１８に示すように、レンズ鏡筒ＬＵが沈胴位置にあるときレンズ鏡筒ＬＵを沈胴状態に保持するように付勢力を及ぼし、一方、図１７及び図１９に示すように、レンズ鏡筒ＬＵが繰り出し側にあるときレンズ鏡筒ＬＵを繰り出し状態に保持するように付勢力を及ぼすように形成されている。
レバーカバー１４６は、図２１に示すように、繰出しレバー１４４が支軸８２ｄに嵌め込まれて支持された状態で、繰出しレバー１４４を外側から覆うように配置されて脱落を規制するべく、ネジ等によりバレル部８２に締結されるように形成されている。
【００３５】
次に、上記撮像装置の動作について説明する。
先ず、撮像装置において、撮影しない休止状態において、図１（ａ）及び図１８に示すように、レンズ鏡筒ＬＵは筐体１０内に沈胴した状態にあり、レンズＧ１はバリヤ機構ＢＭにより閉塞されている。
また、この沈胴状態において、クリック機構１２０のクリックレバー１２１は、付勢バネ１２２の付勢力に抗してカム部８２ｂからカム作用を受けて、図１６に示すように絞り部材１００から離脱した状態にあり、補助クリック機構１３０の係合ピン１３１は絞り設定操作環６０から離脱した状態にあり、絞り設定操作環６０は復帰バネ７０の付勢力により初期位置に復帰させられると共に当接部６５が規制壁１１ｎに当接して位置決めされ、絞り位置指標６４が筐体１０の絞り位置指標用の開口部１１ｇに一致している。
このとき、絞り部材１００は、連動機構（駆動歯列６７、被動歯車１０１、歯車列１１０）を介して、図１６に示すように、絞り開口１０２ａが光軸Ｌ上に臨む位置に位置付けられて保持されている。
【００３６】
続いて、撮影を行う際には、撮影者が押しボタン１４１を押すと、繰出し機構１４０の繰り出し動作により、図１（ｂ）及び図１９に示すように、レンズ鏡筒ＬＵが筐体１０から繰り出すと共に、クリックレバー１２１はカム部８２ｂのカム作用から解放されて、付勢バネ１２２の付勢力により、図１７に示すように絞り部材１００の被係合部１０３ａに係合して、絞り部材１００をクリック力保持し、又、補助クリック機構１３０の係合ピン１３１が被係合部６８ａに係合して絞り設定操作環６０をクリック保持する。尚、レンズ鏡筒ＬＵの繰り出し動作に連動して、バリヤ機構ＢＭは開き動作を行ってレンズＧ１を露出させる。
【００３７】
続いて、筐体１０に設けられた測光ユニットＯＵにより被写体の光量が測定されて、必要な絞り値の情報が得られると、その測光情報に基づいて、制御手段の制御信号により、４つの発光素子２１〜２４のうちの一つの発光素子が発光し、その光は、４つの導光部材３１〜３４のうちの対応する導光部材を経由して、対応する絞り位置指標用の開口を通して射出面から筐体１０の外部に射出される。
例えば、発光素子２１が発光した場合、導光部材３１を経由した光は射出面３１ｂから開口部１１ｇを通して外部に射出される（開口部１１ｇが点灯する）。このとき、絞り位置指標６４は既に点灯する開口部１１ｇに一致しているため、そのまま撮影を行うことになる。
また、発光素子２２が発光した場合、導光部材３２を経由した光は射出面３２ｂから開口部１１ｈを通して外部に射出される（開口部１１ｈが点灯する）。このとき、撮影者は、絞り位置指標６４を点灯する開口部１１ｈに合わせるように絞り設定操作環６０を回転させると、絞り部材１００は、連動機構を介して、絞り開口１０２ｂが光軸Ｌ上に臨む位置に回転すると共にクリックレバー１２１の係合部１２１ａが被係合部１０３ｂに係合してクリック保持され、又、係合ピン１３１が被係合部６８ｂに係合して絞り設定操作環６０がその絞り位置にクリック保持される。
また、発光素子２３が発光した場合、導光部材３３を経由した光は射出面３３ｂから開口部１１ｉを通して外部に射出される（開口部１１ｉが点灯する）。このとき、撮影者は、絞り位置指標６４を点灯する開口部１１ｉに合わせるように絞り設定操作環６０を回転させると、絞り部材１００は、連動機構を介して、絞り開口１０２ｃが光軸Ｌ上に臨む位置に回転すると共にクリックレバー１２１の係合部１２１ａが被係合部１０３ｃに係合してクリック保持され、又、係合ピン１３１が被係合部６８ｃに係合して絞り設定操作環６０がその絞り位置にクリック保持される。
さらに、発光素子２４が発光した場合、導光部材３４を経由した光は射出面３４ｂから開口部１１ｊを通して外部に射出される（開口部１１ｊが点灯する）。このとき、撮影者は、絞り位置指標６４を点灯する開口部１１ｊに合わせるように絞り設定操作環６０を回転させると、絞り部材１００は、連動機構を介して、絞り開口１０２ｄが光軸Ｌ上に臨む位置に回転すると共にクリックレバー１２１の係合部１２１ａが被係合部１０３ｄに係合してクリック保持され、又、係合ピン１３１が被係合部６８ｄに係合して絞り設定操作環６０がその絞り位置にクリック保持される。
尚、近接撮影等の特殊な絞り状態において撮影を行う場合は、撮影者は、絞り位置指標６４をカメラ本体側の絞り位置指標１１ｋに合わせるように絞り設定操作環６０を回転させると、絞り部材１００は、連動機構を介して、絞り開口１０２ｅが光軸Ｌ上に臨む位置に回転すると共にクリックレバー１２１の係合部１２１ａが被係合部１０３ｅに係合してクリック保持され、又、係合ピン１３１が被係合部６８ｅに係合して絞り設定操作環６０がその絞り位置にクリック保持される。
【００３８】
一方、絞り部材１００がいずれかの絞り位置にある状態において、撮影者がレンズ鏡筒ＬＵを押し込んで沈胴させると、図１６に示すように、この沈胴動作に連動してクリックレバー１２１のフォロワ部１２１ｃがカム部８２ｂからカム作用を受けて、クリックレバー１２１の係合部１２１ａが絞り部材１００から離脱してクリック機構１２０によるクリック保持が解除され、又、係合ピン１３１が絞り設定操作環６０の被係合部６８ａ〜６８ｅから離脱して補助クリック機構１３０によるクリック保持が解除され、絞り設定操作環６０は復帰バネ７０の付勢力により所定の絞り値を設定する初期位置（絞り部材１００の絞り開口１０２ａが光軸Ｌ上の臨む位置でかつ絞り位置指標６４が絞り位置指標用の開口部１１ｇに一致する位置）に自動的に回転復帰する。尚、レンズ鏡筒ＬＵの沈動動作に連動して、バリヤ機構ＢＭは閉じ動作を行ってレンズＧ１を覆う。
【００３９】
このように、撮影時に被写体の光量を測定する測光ユニットＯＵ、測光ユニットＯＵの測光情報に基づいて複数の発光素子２１〜２４の一つを発光させる制御手段、筐体１０の筒状部１１ａに隣接して回動自在に配置されると共にその外周面に一つの絞り位置指標６４を有し複数の開口部１１ｇ〜１１ｊに対応するそれぞれの角度位置に絞り位置指標６４を一致させることにより複数の絞り値を設定し得る絞り設定操作環６０を含む構成を採用したことにより、撮影者は、発光素子２１〜２４の光を確認できる開口部１１ｇ〜１１ｊ（射出面３１ｂ〜３４ｂ）の位置に絞り位置指標６４を合わせるように絞り設定操作環６０を回すことで、最適な絞り値を設定することができる。
また、発光体２０から発せられた（報知情報としての）光は、導光体３０によりその入射面３１ａ〜３４ａから射出面３１ｂ〜３４ｂまで導かれ、筐体１０の開口部１１ｇ〜１１ｊを通して光軸Ｌに略直角な方向に射出されるため、撮影者は、装置を手元に構えた状態で、その光を装置の上方から容易に確認することができ、撮影者による視認性を向上させることができる。
【００４０】
上記実施形態においては、発光体２０として４つの発光素子２１〜２４を採用し、導光体３０として４つの導光部材３１〜３４を採用し、筐体１０の筒状部１１ａにおいて４つの絞り位置指標用の開口部１１ｇ〜１１ｊを採用した場合を示したが、これらの個数は４つに限定されるものではなく、それ以下又はそれ以上の個数を採用することができる。
上記実施形態においては、複数の導光部材３１〜３４が全て同一の材料を用いて同一形状に形成された場合を示したが、これに限定されるものではなく、個々に異なる材料及び異なる形状をなすものを採用してもよい。
上記実施形態においては、複数の導光部材３１〜３４を保持して筐体１０の前側カバー１１に固定される組付けホルダ４０を採用した場合を示したが、これに限定されるものではなく、複数の導光部材３１〜３４が個々に前側カバー１１に組み付けられる構成を採用してもよい。
上記実施形態においては、レンズ鏡筒ＬＵを繰り出すための繰出し機構１４０を備えた構成において本発明を採用した場合を示したが、これに限定されるものではなく、レンズ鏡筒を操作者が指等で掴んで繰り出させる構成、あるいは、レンズ鏡筒が繰り出さない構成において本発明を採用することもできる。
上記実施形態においては、クリック機構１２０及び補助クリック機構１３０を備えた構成において本発明を採用した場合を示したが、これに限定されるものではなく、これらのクリック機構を備えない構成において本発明を採用することもできる。
【産業上の利用可能性】
【００４１】
以上述べたように、本発明に係る撮像装置は、構造の簡素化、部品点数の削減、低コスト化、小型化、組み付け作業の容易化等を達成しつつ、撮影者に対して光を用いて種々の情報を報知する際にその視認性を向上させることができ、特に、撮影時に最適な絞り値に調整するべく光により絞りの設定位置を報知する際の光の指向性を高めて機能的な信頼性の向上等を達成することができるため、インスタントカメラに限らず、その他のカメラ、光学機器等においても有用である。
【符号の説明】
【００４２】
Ｌ  光軸
ＬＵ  レンズ鏡筒
ＵＢ  ユニットベース
ＣＢ  実装基板
ＯＵ  測光ユニット
ＦＵ  ファインダユニット
Ｆ  フラッシュ
ＲＢ  レリーズボタン
１０  筐体
１１  前側カバー
１１ａ  筒状部
１１ｂ  ファインダ窓
１１ｃ  開口部
１１ｄ  フラッシュ窓
１１ｅ，１１ｆ  受光窓
１１ｇ，１１ｈ，１１ｉ，１１ｊ  絞り位置指標用の開口部
１１ｋ  絞り位置指標
１１ｍ  支持部
１１ｎ  規制壁
１１ｐ  ガイド孔
１２  後側カバー
１２ａ  排出口
１３  バッテリカバー
２０  発光体
２１，２２，２３，２４  発光素子
３０  導光体
３１，３１´，３１´´，３２，３２´，３２´´，３３，３３´，３３´´，３４，３４´，３４´´  導光部材
３１ａ，３２ａ３３ａ，３４ａ  入射面
３１ｂ，３１ｂ´，３２ｂ，３２ｂ´，３３ｂ，３３ｂ´，３４ｂ，３４ｂ´  射出面
３１ｃ，３１ｃ´，３１ｃ´´，３２ｃ，３２ｃ´，３２ｃ´´，３３ｃ，３３ｃ´，３３ｃ´´，３４ｃ，３４ｃ´，３４ｃ´´  反射面
４０  組付けホルダ
４１  保持部
４２  フランジ部
４２ａ  貫通孔
４３  遮光壁
５０  弾性密着部材
５１  貫通孔
６０  絞り設定操作環
６１  凹部
６２  掛止突起
６３  貫通孔
６４  絞り位置指標
６５，６６  当接部
６７  駆動歯列
６８ａ，６８ｂ，６８ｃ，６８ｄ，６８ｅ  被係合部
７０  復帰バネ
７１  一端部
７２  他端部
８１  ベース部
８２  バレル部
８２ａ  ガイド溝
８２ｂ  カム部
８２ｃ  掛止突起
８２ｄ  支軸
８２ｅ  ボス部
８２ｆ  嵌合穴
８２ｇ  規制壁
８２ｈ  方向変換部
９０  鏡筒本体
９１  レンズ押え
Ｇ１  レンズ
９２  前側カバー
９３  レンズ押え
Ｇ２  レンズ
９４  鏡筒ベース
９４ａ  開口
９４ｂ  突出部
９４ｃ，９４ｄ  掛止部
９５  外筒部
９６  地板
９６ａ  開口
９６ｂ  回転軸
９６ｃ  支軸
１００  絞り部材
１０１  被動歯車
１０１ａ  中心孔
１０２ａ，１０２ｂ，１０２ｃ，１０２ｄ，１０２ｅ  絞り開口
１０３ａ，１０３ｂ，１０３ｃ，１０３ｄ，１０３ｅ  被係合部
１１０  歯車列
１１１，１１２，１１３  移動歯車
１１４  長尺歯車
１２０  クリック機構
１２１  クリックレバー
１２１ａ  係合部
１２１ｂ  掛止部
１２１ｃ  フォロワ部
１２２  付勢バネ
１２２ａ  一端部
１２２ｂ  他端部
１３０  補助クリック機構
１３１  係合ピン
１３２  付勢バネ
１３３  取付カバー
１４０  繰出し機構
１４１  押しボタン
１４２  ガイドシャフト
１４３  戻しバネ
１４４  繰出しレバー
１４５  トグルバネ
１４６  レバーカバー
【図１】
2014055997.tif 000003
【図２】
2014055997.tif 000004
【図３】
2014055997.tif 000005
【図４】
2014055997.tif 000006
【図５】
2014055997.tif 000007
【図６】
2014055997.tif 000008
【図７】
2014055997.tif 000009
【図８】
2014055997.tif 000010
【図９】
2014055997.tif 000011
【図１０】
2014055997.tif 000012
【図１１】
2014055997.tif 000013
【図１２】
2014055997.tif 000014
【図１３】
2014055997.tif 000015
【図１４】
2014055997.tif 000016
【図１５】
2014055997.tif 000017
【図１６】
2014055997.tif 000018
【図１７】
2014055997.tif 000019
【図１８】
2014055997.tif 000020
【図１９】
2014055997.tif 000021
【図２０】
2014055997.tif 000022
【図２１】
2014055997.tif 000023
【手続補正書】
【提出日】平成24年11月9日(2012.11.9)
【手続補正１】
【補正対象書類名】図面
【補正対象項目名】全図
【補正方法】変更
【補正の内容】
【図１】
2014055997.tif 000024
【図２】
2014055997.tif 000025
【図３】
2014055997.tif 000026
【図４】
2014055997.tif 000027
【図５】
2014055997.tif 000028
【図６】
2014055997.tif 000029
【図７】
2014055997.tif 000030
【図８】
2014055997.tif 000031
【図９】
2014055997.tif 000032
【図１０】
2014055997.tif 000033
【図１１】
2014055997.tif 000034
【図１２】
2014055997.tif 000035
【図１３】
2014055997.tif 000036
【図１４】
2014055997.tif 000037
【図１５】
2014055997.tif 000038
【図１６】
2014055997.tif 000039
【図１７】
2014055997.tif 000040
【図１８】
2014055997.tif 000041
【図１９】
2014055997.tif 000042
【図２０】
2014055997.tif 000043
【図２１】
2014055997.tif 000044